【手続補正書】
【提出日】平成20年6月26日(2008.6.26)
【手続補正１】
【補正対象書類名】特許請求の範囲
【補正対象項目名】全文
【補正方法】変更
【補正の内容】
【特許請求の範囲】
【請求項１】
映像信号領域とオプティカルブラック領域とを有する撮像素子と、
前記撮像素子から読み出した第１の映像信号における前記オプティカルブラック領域の出力から、前記第１の映像信号のオプティカルブラックレベルを検出する検出手段と、
前記撮像素子から読み出した、前記第１の映像信号よりも画素数の多い第２の映像信号に対して、オプティカルブラックレベルの補正を行う補正手段とを有し、
前記補正手段は、前記第１の映像信号を読み出した後に前記第２の映像信号を読み出すものであって、前記第２の映像信号を生成したときの少なくともシャッタ秒時および感度のいずれかに基づいて、前記検出手段により検出された前記第１の映像信号のオプティカルブラックレベルから前記第２の映像信号のオプティカルブラックレベルを算出し、算出した前記第２の映像信号のオプティカルブラックレベルに基づいて、前記第２の映像信号のオプティカルブラックレベルを補正することを特徴とする映像信号処理装置。
【請求項２】
映像信号領域とオプティカルブラック領域とを有する撮像素子と、
前記撮像素子から読み出した第１の映像信号における前記オプティカルブラック領域の出力から、前記第１の映像信号のオプティカルブラックレベルを検出する検出手段と、
前記撮像素子から読み出した、前記第１の映像信号よりも画素数の多い第２の映像信号に対して、オプティカルブラックレベルの補正を行う補正手段とを有し、
前記補正手段は、前記第１の映像信号を読み出した後に前記第２の映像信号を読み出すものであって、少なくともシャッタ秒時および感度のいずれかを前記第２の映像信号を読み出すときのパラメータにあわせて前記第１の映像信号を生成して読み出し、前記検出手段により検出された前記第１の映像信号のオプティカルブラックレベルに基づいて、前記第２の映像信号のオプティカルブラックレベルを補正することを特徴とする映像信号処理装置。
【請求項３】
前記補正手段にてオプティカルブラックレベルが補正された第２の映像信号に対して、シェーディング補正を行うシェーディング補正回路を有することを特徴とする請求項１又は２に記載の映像信号処理装置。
【請求項４】
撮像素子から第１の映像信号を読み出す第１の読み出し工程と、
前記第１の映像信号におけるオプティカルブラック領域の出力から、前記第１の映像信号のオプティカルブラックレベルを検出する検出工程と、
前記撮像素子から前記第１の映像信号よりも画素数の多い第２の映像信号を読み出す第２の読み出し工程と、
前記第２の映像信号を生成したときの少なくともシャッタ秒時および感度のいずれかに基づいて、前記検出工程において検出された前記第１の映像信号のオプティカルブラックレベルから、前記第２の映像信号のオプティカルブラックレベルを算出する算出工程と、
前記算出工程にて算出した前記第２の映像信号のオプティカルブラックレベルに基づいて、前記第２の映像信号のオプティカルブラックレベルを補正する補正工程と、を有することを特徴とする映像信号処理方法。
【請求項５】
少なくともシャッタ秒時および感度のいずれかを、第１の映像信号よりも画素数の多い前記第２の映像信号を読み出すときのパラメータにあわせて、前記第１の映像信号を生成して読み出す第１の読み出し工程と、
前記第１の映像信号におけるオプティカルブラック領域の出力から、前記第１の映像信号のオプティカルブラックレベルを検出する検出工程と、
撮像素子から前記第２の映像信号を読み出す第２の読み出し工程と、
前記検出工程において検出された前記第１の映像信号のオプティカルブラックレベルに基づいて、前記第２の映像信号のオプティカルブラックレベルを補正する補正工程と、を有することを特徴とする映像信号処理方法。
【請求項６】
撮像素子から第１の映像信号を読み出す第１の読み出し工程と、
前記第１の映像信号におけるオプティカルブラック領域の出力から、前記第１の映像信号のオプティカルブラックレベルを検出する検出工程と、
前記撮像素子から前記第１の映像信号よりも画素数の多い第２の映像信号を読み出す第２の読み出し工程と、
前記第２の映像信号を生成したときの少なくともシャッタ秒時および感度のいずれかに基づいて、前記検出工程において検出された前記第１の映像信号のオプティカルブラックレベルから、前記第２の映像信号のオプティカルブラックレベルを算出する算出工程と、
前記算出工程にて算出した前記第２の映像信号のオプティカルブラックレベルに基づいて、前記第２の映像信号のオプティカルブラックレベルを補正する補正工程とをコンピュータに実行させるためのプログラム。
【請求項７】
少なくともシャッタ秒時および感度のいずれかを、第１の映像信号よりも画素数の多い前記第２の映像信号を読み出すときのパラメータにあわせて、前記第１の映像信号を生成して読み出す第１の読み出し工程と、
前記第１の映像信号におけるオプティカルブラック領域の出力から、前記第１の映像信号のオプティカルブラックレベルを検出する検出工程と、
撮像素子から前記第２の映像信号を読み出す第２の読み出し工程と、
前記検出工程において検出された前記第１の映像信号のオプティカルブラックレベルに基づいて、前記第２の映像信号のオプティカルブラックレベルを補正する補正工程とをコンピュータに実行させるためのプログラム。
【手続補正２】
【補正対象書類名】明細書
【補正対象項目名】００１０
【補正方法】変更
【補正の内容】
【００１０】
本発明の映像信号処理装置の第１の態様は、映像信号領域とオプティカルブラック領域とを有する撮像素子と、前記撮像素子から読み出した第１の映像信号における前記オプティカルブラック領域の出力から、前記第１の映像信号のオプティカルブラックレベルを検出する検出手段と、前記撮像素子から読み出した、前記第１の映像信号よりも画素数の多い第２の映像信号に対して、オプティカルブラックレベルの補正を行う補正手段とを有し、前記補正手段は、前記第１の映像信号を読み出した後に前記第２の映像信号を読み出すものであって、前記第２の映像信号を生成したときの少なくともシャッタ秒時および感度のいずれかに基づいて、前記検出手段により検出された前記第１の映像信号のオプティカルブラックレベルから前記第２の映像信号のオプティカルブラックレベルを算出し、算出した前記第２の映像信号のオプティカルブラックレベルに基づいて、前記第２の映像信号のオプティカルブラックレベルを補正することを特徴とする。
本発明の映像信号処理装置の第２の態様は、映像信号領域とオプティカルブラック領域とを有する撮像素子と、前記撮像素子から読み出した第１の映像信号における前記オプティカルブラック領域の出力から、前記第１の映像信号のオプティカルブラックレベルを検出する検出手段と、前記撮像素子から読み出した、前記第１の映像信号よりも画素数の多い第２の映像信号に対して、オプティカルブラックレベルの補正を行う補正手段とを有し、前記補正手段は、前記第１の映像信号を読み出した後に前記第２の映像信号を読み出すものであって、少なくともシャッタ秒時および感度のいずれかを前記第２の映像信号を読み出すときのパラメータにあわせて前記第１の映像信号を生成して読み出し、前記検出手段により検出された前記第１の映像信号のオプティカルブラックレベルに基づいて、前記第２の映像信号のオプティカルブラックレベルを補正することを特徴とする。
本発明の映像信号処理方法の第１の態様は、撮像素子から第１の映像信号を読み出す第１の読み出し工程と、前記第１の映像信号におけるオプティカルブラック領域の出力から、前記第１の映像信号のオプティカルブラックレベルを検出する検出工程と、前記撮像素子から前記第１の映像信号よりも画素数の多い第２の映像信号を読み出す第２の読み出し工程と、前記第２の映像信号を生成したときの少なくともシャッタ秒時および感度のいずれかに基づいて、前記検出工程において検出された前記第１の映像信号のオプティカルブラックレベルから、前記第２の映像信号のオプティカルブラックレベルを算出する算出工程と、前記算出工程にて算出した前記第２の映像信号のオプティカルブラックレベルに基づいて、前記第２の映像信号のオプティカルブラックレベルを補正する補正工程と、を有することを特徴とする。
本発明の映像信号処理方法の第２の態様は、少なくともシャッタ秒時および感度のいずれかを、第１の映像信号よりも画素数の多い前記第２の映像信号を読み出すときのパラメータにあわせて、前記第１の映像信号を生成して読み出す第１の読み出し工程と、前記第１の映像信号におけるオプティカルブラック領域の出力から、前記第１の映像信号のオプティカルブラックレベルを検出する検出工程と、撮像素子から前記第２の映像信号を読み出す第２の読み出し工程と、前記検出工程において検出された前記第１の映像信号のオプティカルブラックレベルに基づいて、前記第２の映像信号のオプティカルブラックレベルを補正する補正工程と、を有することを特徴とする。
本発明のプログラムの第１の態様は、撮像素子から第１の映像信号を読み出す第１の読み出し工程と、前記第１の映像信号におけるオプティカルブラック領域の出力から、前記第１の映像信号のオプティカルブラックレベルを検出する検出工程と、前記撮像素子から前記第１の映像信号よりも画素数の多い第２の映像信号を読み出す第２の読み出し工程と、前記第２の映像信号を生成したときの少なくともシャッタ秒時および感度のいずれかに基づいて、前記検出工程において検出された前記第１の映像信号のオプティカルブラックレベルから、前記第２の映像信号のオプティカルブラックレベルを算出する算出工程と、前記算出工程にて算出した前記第２の映像信号のオプティカルブラックレベルに基づいて、前記第２の映像信号のオプティカルブラックレベルを補正する補正工程とをコンピュータに実行させることを特徴とする。
本発明のプログラムの第２の態様は、少なくともシャッタ秒時および感度のいずれかを、第１の映像信号よりも画素数の多い前記第２の映像信号を読み出すときのパラメータにあわせて、前記第１の映像信号を生成して読み出す第１の読み出し工程と、前記第１の映像信号におけるオプティカルブラック領域の出力から、前記第１の映像信号のオプティカルブラックレベルを検出する検出工程と、撮像素子から前記第２の映像信号を読み出す第２の読み出し工程と、前記検出工程において検出された前記第１の映像信号のオプティカルブラックレベルに基づいて、前記第２の映像信号のオプティカルブラックレベルを補正する補正工程とをコンピュータに実行させることを特徴とする。